(57)【要約】    【課題】      各消費者に対してカスタマイズされた商品情報を提供することができるとともに、個人情報の漏洩を防ぐこと。    【解決手段】  ショッピングデータ受信部１０３は、受信信号より商品情報を抽出する。電子マネー保存部１０４は、金額の情報である金額情報を電子データの形式にて記憶するとともに、記憶している金額がしきい値以下になった場合には入金を提案する文字情報等を表示するように指示する。限度額参照部１０５は、使用可能な金額を判定する。データ変換部１０６は、受信した商品情報の商品の内、使用可能な金額以下の値段の商品の商品情報が先頭になるように並べる。データ表示部１０７は、使用可能な金額以下の値段の商品の商品情報を先頭に表示するとともに、電子マネー保存部１０４の指示により入金を提案する文字情報等を表示する。  【選択図】      図１
2005222252.tif 000002
【特許請求の範囲】
【請求項１】
使用可能な金額の情報である金額情報を記憶する保存手段と、
商品の値段を含む前記商品の情報である商品情報を受信する受信手段と、
前記保存手段にて記憶されている前記使用可能な金額以下の値段の商品の前記商品情報が先頭になるように前記受信手段にて受信した前記商品情報を並べるデータ変換手段と、
前記データ変換手段にて並べられた順番に前記商品情報を表示する表示手段と、
を具備することを特徴とする端末装置。
【請求項２】
使用可能な金額の情報である金額情報を記憶する保存手段と、
商品の値段を含む前記商品の情報である商品情報を受信する受信手段と、
前記使用可能な金額以下の値段の商品の前記商品情報が存在するか否かを判定するとともに前記使用可能な金額以下の値段の商品が存在する判定の結果が得られた場合には前記使用可能な金額以下の値段の商品の前記商品情報を選択するデータ変換手段と、
商品の値段が前記使用可能な金額以下である場合の前記判定の結果を含めて前記データ変換手段にて選択された前記商品情報を表示する表示手段と、
を具備することを特徴とする端末装置。
【請求項３】
商品毎の過去の購入数の情報である購入履歴情報を記憶する履歴記憶手段を具備し、
前記データ変換手段は、前記使用可能な金額以下の値段の前記商品情報の内、前記履歴記憶手段にて記憶されている前記購入履歴情報の前記購入数が最大の商品の前記商品情報を先頭に表示することを特徴とする請求項１または請求項２記載の端末装置。
【請求項４】
前記表示手段は、前記保存手段にて記憶される前記使用可能な金額がしきい値以下になった場合には、前記使用可能な金額を増やすことを提案する表示をすることを特徴とする請求項１から請求項３のいずれかに記載の端末装置。
【請求項５】
前記表示手段は、前記商品情報の商品の中で、前記使用可能な金額より値段の高い商品の数がしきい値以上である場合には、前記使用可能な金額を増やすことを提案する表示をすることを特徴とする請求項１から請求項４のいずれかに記載の端末装置。
【請求項６】
前記表示手段は、前記使用可能な金額以下の値段の商品の前記商品情報と前記使用可能な金額より高い値段の商品の前記商品情報とが視覚的に識別できるように表示することを特徴とする請求項１から請求項５のいずれかに記載の端末装置。
【請求項７】
前記表示手段は、前記使用可能な金額以下の値段の商品の前記商品情報を、前記使用可能な金額内にて購入可能であることを伝達する情報とともに表示することを特徴とする請求項１から請求項６のいずれかに記載の端末装置。
【請求項８】
請求項１から請求項７のいずれかに記載の端末装置に前記商品情報を送信する配信サーバーであって、
前記配信サーバーは、
商品データに前記値段を含めて前記商品情報を生成する商品情報生成手段と、
前記商品情報生成手段にて生成された前記商品情報を送信する送信手段と、
を具備することを特徴とする配信サーバー。
【請求項９】
使用可能な金額の情報である金額情報を記憶するステップと、
商品の値段を含む前記商品の情報である商品情報を受信するステップと、
前記使用可能な金額以下の値段の商品の前記商品情報が先頭になるように受信した前記商品情報を並べるステップと、
並べられた順番に前記商品情報を表示するステップと、
を具備することを特徴とする受信データ表示方法。
【請求項１０】
使用可能な金額の情報である金額情報を記憶するステップと、
商品の値段を含む前記商品の情報である商品情報を受信するステップと、
前記使用可能な金額以下の値段の商品の前記商品情報が存在するか否かを判定するとともに前記使用可能な金額以下の値段の商品が存在する判定の結果が得られた場合には前記使用可能な金額以下の値段の商品の前記商品情報を選択するステップと、
商品の値段が前記使用可能な金額以下である場合の前記判定の結果を含めて選択された前記商品情報を表示するステップと、
を具備することを特徴とする受信データ表示方法。
【請求項１１】
商品毎の過去の購入数の情報である購入履歴情報を記憶するステップを具備し、
前記使用可能な金額以下の値段の前記商品情報の内、記憶されている前記購入履歴情報の前記購入数が最大の商品の前記商品情報を先頭に表示することを特徴とする請求項９または請求項１０記載の受信データ表示方法。
【請求項１２】
前記使用可能な金額がしきい値以下になった場合には、前記使用可能な金額を増やすことを提案する表示をすることを特徴とする請求項９から請求項１１のいずれかに記載の受信データ表示方法。
【請求項１３】
前記商品情報の商品の中で、前記使用可能な金額より値段の高い商品の数がしきい値以上である場合には、前記使用可能な金額を増やすことを提案する表示をすることを特徴とする請求項９から請求項１２のいずれかに記載の受信データ表示方法。
【請求項１４】
前記使用可能な金額以下の値段の商品の前記商品情報と前記使用可能な金額より高い値段の商品の前記商品情報とが視覚的に識別できるように表示することを特徴とする請求項９から請求項１３のいずれかに記載の受信データ表示方法。
【請求項１５】
前記使用可能な金額以下の値段の商品の前記商品情報を、前記使用可能な金額内にて購入可能であることを伝達する情報とともに表示することを特徴とする請求項９から請求項１４のいずれかに記載の受信データ表示方法。
【発明の詳細な説明】
【技術分野】
【０００１】
本発明は、端末装置及び受信データ表示方法に関し、例えば電気通信回線を通じてブロードキャスト伝送されたショッピング情報を受信する端末装置及び受信データ表示方法に関する。
【背景技術】
【０００２】
第３世代移動通信システムにおいて、複数の携帯電話に同時に配信データを送信する放送サービスが知られている（例えば、特許文献１）。
【０００３】
図１２は、従来の配信データを送信する放送サービスにおける通信システムの構成を示すブロック図である。図１２において、放送サービスは、通信事業者１０と、通信事業者１０からの広告情報を視聴する消費者１１と、通信事業者１０に広告を依頼し、消費者１１に商品を販売する企業１２から構成されている。
【０００４】
通信事業者１０は、インターネットを経由して、携帯端末等にコンテンツやメールを送信することを可能とする。また、消費者１１は、緯度経度の数値を出力するＧＰＳ出力装置が添付されている携帯端末等を所有し、消費者１１の位置情報を通信事業者１０にある一定時間ごとに送信できる状況にある。さらにまた、企業１２は、広告情報を通信事業者１０に提供する。その広告情報には、対象とする消費者１１の属性、広告情報配信の有効な領域、有効な時間帯の情報が添付されている。通信事業者１０は、これらの条件に該当する消費者にのみ、広告を配信する。また企業１２は通信事業者１０から、商品の予約依頼の情報を常時受信できる機構を備えているものとする。
【特許文献１】特開２００１−２８２８３４号公報
【発明の開示】
【発明が解決しようとする課題】
【０００５】
しかしながら、従来の端末装置及び受信データ表示方法は、消費者１１の属性、広告情報配信の有効な領域、有効な時間帯の所定の条件を満たす消費者に対しては同一の広告情報を配信するので、広告情報をカスタマイズできないという問題がある。また、従来の端末装置及び受信データ表示方法は、通信事業者が消費者の嗜好等の属性を管理するものであり、個人情報が漏洩する可能性があるという問題がある。
【０００６】
本発明はかかる点に鑑みてなされたものであり、各消費者に対してカスタマイズされた商品情報を提供することができるとともに、個人情報の漏洩を防ぐことができる端末装置及び受信データ表示方法を提供することを目的とする。
【課題を解決するための手段】
【０００７】
本発明の端末装置は、使用可能な金額の情報である金額情報を記憶する保存手段と、商品の値段を含む前記商品の情報である商品情報を受信する受信手段と、前記保存手段にて記憶されている前記使用可能な金額以下の値段の商品の前記商品情報が先頭になるように前記受信手段にて受信した前記商品情報を並べるデータ変換手段と、前記データ変換手段にて並べられた順番に前記商品情報を表示する表示手段と、を具備する構成を採る。
【０００８】
この構成によれば、端末装置毎に使用可能な金額以下の値段の商品の商品情報が先頭になるように商品情報を並べて表示するので、各消費者に対してカスタマイズされた商品情報を提供することができるとともに、個人情報の漏洩を防ぐことができる。
【０００９】
本発明の端末装置は、使用可能な金額の情報である金額情報を記憶する保存手段と、商品の値段を含む前記商品の情報である商品情報を受信する受信手段と、前記使用可能な金額以下の値段の商品の前記商品情報が存在するか否かを判定するとともに前記使用可能な金額以下の値段の商品が存在する判定の結果が得られた場合には前記使用可能な金額以下の値段の商品の前記商品情報を選択するデータ変換手段と、商品の値段が前記使用可能な金額以下である場合の前記判定の結果を含めて前記データ変換手段にて選択された前記商品情報を表示する表示手段と、を具備する構成を採る。
【００１０】
この構成によれば、端末装置毎に使用可能な金額以下の値段の商品の商品情報を、使用可能な金額内にて購入できることを知らせる情報とともに表示するので、各消費者に対してカスタマイズされた商品情報を提供することができるとともに、個人情報の漏洩を防ぐことができる。
【００１１】
本発明の端末装置は、前記構成において、商品毎の過去の購入数の情報である購入履歴情報を記憶する履歴記憶手段を具備し、前記データ変換手段は、前記使用可能な金額以下の値段の前記商品情報の内、前記履歴記憶手段にて記憶されている前記購入履歴情報の前記購入数が最大の商品の前記商品情報を先頭に表示する構成を採る。
【００１２】
この構成によれば、前記効果に加えて、使用可能な金額以下の値段の商品の内、購入履歴情報の購入数が最大の商品の商品情報を先頭に表示するので、ユーザは購入したい商品を迅速に選択することができる。
【００１３】
本発明の端末装置は、前記構成において、前記表示手段は、前記保存手段にて記憶される前記使用可能な金額がしきい値以下になった場合には、前記使用可能な金額を増やすことを提案する表示をする構成を採る。
【００１４】
この構成によれば、前記効果に加えて、使用可能な金額がしきい値以下になった場合には、例えば入金を提案する文字情報等を表示することにより、ユーザは事前に入金を提案する文字情報等を見て電子マネーの金額を増やしておくことができるので、利用限度額内にて購入できるものと思い込んでいた希望の商品を、利用限度額不足により購入することができない状態を防ぐことができる。
【００１５】
本発明の端末装置は、前記構成において、前記表示手段は、前記商品情報の商品の中で、前記使用可能な金額より値段の高い商品の数がしきい値以上である場合には、前記使用可能な金額を増やすことを提案する表示をする構成を採る。
【００１６】
この構成によれば、前記効果に加えて、使用可能な金額内にて購入できる商品が少なくなってきた場合には、例えば入金を提案する文字情報等を表示することにより、ユーザは事前に入金を提案する文字情報等を見て電子マネーの金額を増やしておくことができるので、利用限度額内にて購入できるものと思い込んでいた希望の商品を、利用限度額不足により購入することができない状態を防ぐことができる。
【００１７】
本発明の端末装置は、前記構成において、前記表示手段は、前記使用可能な金額以下の値段の商品の前記商品情報と前記使用可能な金額より高い値段の商品の前記商品情報とが視覚的に識別できるように表示する構成を採る。
【００１８】
この構成によれば、前記効果に加えて、使用可能な金額以下の値段の商品の商品情報を視覚的に識別できるように表示するので、ユーザは自分が購入可能な商品を迅速に見付けることができる。
【００１９】
本発明の端末装置は、前記構成において、前記表示手段は、前記使用可能な金額以下の値段の商品の前記商品情報を、前記使用可能な金額内にて購入可能であることを伝達する情報とともに表示する構成を採る。
【００２０】
この構成によれば、前記効果に加えて、例えば使用可能な金額以下の値段の商品の商品情報を、使用可能な金額内にて購入可能であることを伝達する文字情報により表示するので、ユーザは自分が購入可能な商品を迅速に見付けることができる。
【００２１】
本発明の配信サーバーは、前記のいずれかに記載の端末装置に前記商品情報を送信する配信サーバーであって、前記配信サーバーは、商品データに前記値段を含めて前記商品情報を生成する商品情報生成手段と、前記商品情報生成手段にて生成された前記商品情報を送信する送信手段と、を具備する構成を採る。
【００２２】
この構成によれば、配信サーバー側にて各端末装置の金額情報を記憶する必要がないので、個人情報の漏洩を防ぐことができる。
【００２３】
本発明の受信データ表示方法は、使用可能な金額の情報である金額情報を記憶するステップと、商品の値段を含む前記商品の情報である商品情報を受信するステップと、前記使用可能な金額以下の値段の商品の前記商品情報が先頭になるように受信した前記商品情報を並べるステップと、並べられた順番に前記商品情報を表示するステップと、を具備するようにした。
【００２４】
この方法によれば、使用可能な金額以下の値段の商品の商品情報が先頭になるように商品情報を並べて表示するので、各消費者に対してカスタマイズされた商品情報を提供することができるとともに、個人情報の漏洩を防ぐことができる。
【００２５】
本発明の受信データ表示方法は、使用可能な金額の情報である金額情報を記憶するステップと、商品の値段を含む前記商品の情報である商品情報を受信するステップと、前記使用可能な金額以下の値段の商品の前記商品情報が存在するか否かを判定するとともに前記使用可能な金額以下の値段の商品が存在する判定の結果が得られた場合には前記使用可能な金額以下の値段の商品の前記商品情報を選択するステップと、商品の値段が前記使用可能な金額以下である場合の前記判定の結果を含めて選択された前記商品情報を表示するステップと、を具備するようにした。
【００２６】
この方法によれば、端末装置毎に使用可能な金額以下の値段の商品の商品情報を、使用可能な金額内にて購入できることを知らせる情報とともに表示するので、各消費者に対してカスタマイズされた商品情報を提供することができるとともに、個人情報の漏洩を防ぐことができる。
【００２７】
本発明の受信データ表示方法は、前記方法において、商品毎の過去の購入数の情報である購入履歴情報を記憶するステップを具備し、前記使用可能な金額以下の値段の前記商品情報の内、記憶されている前記購入履歴情報の前記購入数が最大の商品の前記商品情報を先頭に表示するようにした。
【００２８】
この方法によれば、前記効果に加えて、使用可能な金額以下の値段の商品の内、購入履歴情報の購入数が最大の商品の商品情報を先頭に表示するので、ユーザは購入したい商品を迅速に選択することができる。
【００２９】
本発明の受信データ表示方法は、前記方法において、前記使用可能な金額がしきい値以下になった場合には、前記使用可能な金額を増やすことを提案する表示をするようにした。
【００３０】
この方法によれば、前記効果に加えて、使用可能な金額がしきい値以下になった場合には、例えば入金を提案する文字情報等を表示することにより、ユーザは事前に入金を提案する文字情報等を見て電子マネーの金額を増やしておくことができるので、利用限度額内にて購入できるものと思い込んでいた希望の商品を、利用限度額不足により購入することができない状態を防ぐことができる。
【００３１】
本発明の受信データ表示方法によれば、前記方法において、前記商品情報の商品の中で、前記使用可能な金額より値段の高い商品の数がしきい値以上である場合には、前記使用可能な金額を増やすことを提案する表示をするようにした。
【００３２】
この方法によれば、前記効果に加えて、使用可能な金額内にて購入できる商品が少なくなってきた場合には、例えば入金を提案する文字情報等を表示することにより、ユーザは事前に入金を提案する文字情報等を見て電子マネーの金額を増やしておくことができるので、利用限度額内にて購入できるものと思い込んでいた希望の商品を、利用限度額不足により購入することができない状態を防ぐことができる。
【００３３】
本発明の受信データ表示方法は、前記方法において、前記使用可能な金額以下の値段の商品の前記商品情報と前記使用可能な金額より高い値段の商品の前記商品情報とが視覚的に識別できるように表示するようにした。
【００３４】
この方法によれば、前記効果に加えて、使用可能な金額以下の値段の商品の商品情報を視覚的に識別できるように表示するので、ユーザは自分が購入可能な商品を迅速に見付けることができる。
【００３５】
本発明の受信データ表示方法は、前記方法において、前記使用可能な金額以下の値段の商品の前記商品情報を、前記使用可能な金額内にて購入可能であることを伝達する情報とともに表示するようにした。
【００３６】
この方法によれば、前記効果に加えて、例えば使用可能な金額以下の値段の商品の商品情報を、使用可能な金額内にて購入可能であることを伝達する文字情報により表示するので、ユーザは自分が購入可能な商品を迅速に見付けることができる。
【発明の効果】
【００３７】
本発明によれば、各消費者に対してカスタマイズされた商品情報を提供することができるとともに、個人情報の漏洩を防ぐことができる。
【発明を実施するための最良の形態】
【００３８】
本発明の骨子は、記憶されている使用可能な金額以下の値段の商品の商品情報が先頭になるように、受信した商品情報を並べて表示することである。また、使用可能な金額以下の値段の商品の商品情報が存在するか否かを判定するとともに、使用可能な金額以下の値段の商品が存在する判定の結果が得られた場合には、使用可能な金額以下の値段の商品の商品情報を選択し、商品の値段が使用可能な金額以下である場合の判定の結果を含めて選択した商品情報を表示することである。
【００３９】
以下、本発明の実施の形態について、図面を参照して詳細に説明する。
【００４０】
（実施の形態１）
図１は、本発明の実施の形態１に係る端末装置１００の構成を示すブロック図である。
【００４１】
データ受信部１０２は、アンテナ１０１にて受信した受信信号を無線周波数からベースバンド周波数にダウンコンバートしてショッピングデータ受信部１０３へ出力する。
【００４２】
ショッピングデータ受信部１０３は、データ受信部１０２から入力した受信信号より商品情報を抽出してデータ変換部１０６へ出力する。ここで、商品情報は商品の値段を含む商品の情報である。
【００４３】
電子マネー保存部１０４は、あらかじめユーザが所定の金額を支払って交換した電子マネーにおける支払った分の金額が保存されており、端末装置１００を介してユーザが買い物をする時に代金として支払う際に用いられるものである。電子マネー保存部１０４は、ユーザが買い物をすることにより電子データの形式にて記憶されている金額が減少していくので、記憶している金額が０円になるかまたは記憶している金額が所定の金額まで減少した場合、金額が増えるように所定のタイミングにて金額の更新を行う。そして、電子マネー保存部１０４は、記憶している金額の情報である金額情報を所定のタイミングにて限度額参照部１０５へ出力する。さらに、電子マネー保存部１０４は、記憶している金額がしきい値より小さい場合には、端末装置１００のユーザに対して入金を提案する文字情報等を表示するようにデータ表示部１０７に指示する。なお、ユーザに対して入金を提案する文字情報等を表示する方法については後述する。
【００４４】
限度額参照部１０５は、電子マネー保存部１０４から入力した金額情報より、使用可能な金額（限度額）を判定して限度額情報としてデータ変換部１０６へ出力する。使用可能な金額は、ユーザが端末装置１００にて有する金額の残高を示すものである。
【００４５】
データ変換部１０６は、ショッピングデータ受信部１０３から入力した商品情報の商品の中に、限度額参照部１０５から入力した限度額情報の金額以下の値段の商品が存在するか否かを判定する。そして、データ変換部１０６は、限度額情報の金額以下の値段の商品が存在する場合には、限度額情報の金額以下の値段の商品の商品情報を先頭に並べる処理、または限度額情報の金額以下の値段の商品の商品情報を選択する処理を行ってデータ表示部１０７へ出力する。データ変換部１０６は、商品情報を選択する処理を行う場合には、選択した商品情報に対して、商品の値段が限度額情報の金額以下である場合の判定の結果の情報を含めてデータ表示部１０７へ出力する。この時、データ変換部１０６は、ＸＳＬＴ（eXtensible Stylesheet Language Transformations）を用いてＸＭＬ形式のデータである商品情報をＨＴＭＬ形式のデータの商品情報に変換する。ここで、ＸＳＬＴとは、Ｗ３Ｃ（ＷＷＷコンソーシアム）の勧告であり、ＸＭＬ文書の構造を出力用フォーマット（例えばＨＴＭＬフォーマット）に変換することができる変換方式である。
【００４６】
データ表示部１０７は、データ変換部１０６から入力した商品情報を表示する。また、データ表示部１０７は、電子マネー保存部１０４からの指示により、入金を提案する文字情報等を表示する。なお、商品情報を表示する具体的な方法については後述する。
【００４７】
次に、配信サーバー２００の構成について、図２を用いて説明する。図２は、配信サーバー２００の構成を示すブロック図である。
【００４８】
商品データ入力部２０１は、外部から入力された商品のデータを商品データ保存部２０２へ出力する。
【００４９】
商品データ保存部２０２は、商品データ入力部２０１から入力した商品データを一時的に蓄積し、蓄積した商品データを所定のタイミングにてタグ付与部２０３へ出力する。
【００５０】
タグ付与部２０３は、商品データ保存部２０２から入力した商品データの各商品にその値段を含めて商品情報を生成し、生成した商品情報をデータ送信部２０４へ出力する。
【００５１】
データ送信部２０４は、タグ付与部２０３から入力した商品情報を含む送信信号を送信する。
【００５２】
次に、配信サーバー２００から送信された配信データを端末装置１００が受信するまでについて、図３及び図４を用いて説明する。
【００５３】
図３より、配信サーバー２００は、ブロードキャスト方式にてＸＭＬ形式のデータである商品情報をコアネットワーク３０１へ出力する。図４に示すように、各商品情報は＜ＩＴＥＭ＞と＜／ＩＴＥＭ＞とで囲まれた＜ＩＴＥＭ＞タグにて指定されており、任意の順序で整列している。また、各商品情報において、商品名は＜ＮＡＭＥ＞と＜／ＮＡＭＥ＞とで囲まれた＜ＮＡＭＥ＞タグにて指定されており、メーカー名は＜ＭＡＫＥＲ＞と＜／ＭＡＫＥＲ＞とで囲まれた＜ＭＡＫＥＲ＞タグにて指定されており、型番は＜ＴＹＰＥ＞と＜／ＴＹＰＥ＞とで囲まれた＜ＴＹＰＥ＞タグにて指定されており、販売価格は＜ＰＲＩＣＥ＞と＜／ＰＲＩＣＥ＞とで囲まれた＜ＰＲＩＣＥ＞タグにて指定されており、商品分野は＜ＧＥＮＲＥ＞と＜／ＧＥＮＲＥ＞とで囲まれた＜ＧＥＮＲＥ＞タグにて指定されているとともに、ユーザが購入する場合の接続先は＜ＵＲＬ＞と＜／ＵＲＬ＞とで囲まれた＜ＵＲＬ＞タグにて指定されている。
【００５４】
配信サーバー２００から送信される商品情報は、例えば図４に示すように、商品「デジタルカメラ」及び値段「２９８００円」の商品情報＃４０１、商品「デジタルカメラ」及び値段「４９８００円」の商品情報＃４０２、商品「ノートパソコン」及び値段「１７９８００円」の商品情報＃４０３、商品「ノートパソコン」及び値段「１４９８００円」の商品情報＃４０４、商品「プリンタ」及び値段「１２８００円」の商品情報＃４０５、商品「プリンタ」及び値段「２２８００円」の商品情報＃４０６である。
【００５５】
配信サーバー２００から配信された図４の商品情報は、コアネットワーク３０１を介して各ネットワーク制御装置３０２ａ、３０２ｂに到着する。各ネットワーク制御装置３０２ａ、３０２ｂは、複数の基地局装置に配信データを伝送することが可能であり、ネットワーク制御装置３０２ａはセル＃３１０の基地局装置３０３ａへ商品情報を伝送し、ネットワーク制御装置３０２ｂはセル＃３１１の基地局装置３０３ｂ、セル＃３１２の基地局装置３０３ｃ及びセル＃３１３の基地局装置３０３ｄへ商品情報を伝送する。そして、各基地局装置は、セル内にて通信を行っている端末装置１００へ商品情報を送信する。端末装置１００は、商品情報を受信して、受信した商品情報を適応的に変換して表示する。
【００５６】
次に、商品情報を受信した端末装置１００にて商品情報及び入金を提案する文字情報等を表示する方法について、図５〜図７を用いて説明する。図５は、データ変換部１０６より出力される商品情報を示す図であり、図６及び図７は、端末装置１００に表示される商品情報を示す図である。
【００５７】
例えば、端末装置１００の限度額参照部１０５が限度額を３１０００円と判定した場合には、データ変換部１０６にてＸＳＬＴを用いてＸＭＬ形式のデータからＨＴＭＬ形式のデータに変換された商品情報は、図５に示すように、限度額３１０００円以下の値段の商品の商品情報が先頭になるように並べられてデータ変換部１０６より出力される。即ち、データ変換部１０６は、商品「デジタルカメラ」及び値段「２９８００円」の商品情報＃４０１を商品情報＃５０１として出力し、商品「プリンタ」及び値段「２２８００円」の商品情報＃４０６を商品情報＃５０２として出力するとともに商品「プリンタ」及び値段「１２８００円」の商品情報＃４０５を商品情報＃５０３として出力する。また、データ変換部１０６は、商品情報＃５０１、＃５０２、＃５０３が、先頭になるように商品情報を並べる。
【００５８】
そして、データ表示部１０７は、図５のように並べられた商品情報を、図６に示すように表示する。即ち、商品情報＃５０１を商品情報＃６０１として表示し、商品情報＃５０２を商品情報＃６０２として表示するとともに商品情報＃５０３を商品情報＃６０３として表示する。この時、データ表示部１０７は、商品情報＃６０１、＃６０２、＃６０３が先頭になるように表示する。
【００５９】
また、例えば、端末装置１００の限度額参照部１０５が限度額を１６２０００円と判定した場合には、データ変換部１０６は、上記と同様の手順により限度額１６２０００円以下の値段の商品の商品情報を出力する。
【００６０】
そして、データ表示部１０７は、データ変換部１０６から入力した商品情報を図７に示すように表示する。即ち、値段が１６２０００円以下である商品「ノートパソコン」及び値段「１４９８００円」の商品情報＃７０１、商品「デジタルカメラ」及び値段「４９８００円」の商品情報＃７０２、商品「デジタルカメラ」及び値段「２９８００円」の商品情報＃７０３を表示する。この時、データ表示部１０７は、商品情報＃７０１、＃７０２、＃７０３が先頭になるように表示する。
【００６１】
また、データ表示部１０７は、電子マネー保存部１０４の指示により、「残高がわずかです」等の入金を提案する文字情報等を表示する。例えば、電子マネー保存部１０４に入力するしきい値情報のしきい値が１０００円である場合、電子マネー保存部１０４に記憶されている金額が１０００円未満になった時に、電子マネー保存部１０４は入金を提案する文字情報等を表示するようにデータ表示部１０７に対して指示する。
【００６２】
また、データ表示部１０７は、限度額情報の金額以下の値段の商品の商品情報と限度額情報の金額より高い値段の商品の商品情報とが視覚的に識別できるように表示する。視覚的に識別できるように表示する方法としては、限度額情報の金額以下の値段の商品の商品情報における文字のフォント、色または太さを、限度額情報の金額より高い値段の商品の商品情報における文字のフォント、色または太さと異なるようにする方法、限度額情報の金額以下の値段の商品の商品情報にアンダーラインを設ける方法、限度額情報の金額以下の値段の商品の商品情報と限度額情報の金額より高い値段の商品の商品情報との背景色を異ならせる方法、または限度額情報の金額以下の値段の商品の商品情報を点滅させる方法等が考えられる。また、データ表示部１０７は、限度額情報の金額以下の値段の商品の商品情報の近傍に、「今すぐ買えます」等の即座に購入可能であることを示す内容の文章または静止画を表示する方法を用いることも可能である。なお、視覚的に識別できるように表示する方法としては、上記の方法に限らず、任意の方法を適用することが可能である。
【００６３】
このように、本実施の形態１によれば、各端末装置の利用限度額に応じて利用限度額以下の値段の商品の商品情報の表示を変更することができるので、各消費者に対してカスタマイズされた商品情報を提供することができる。また、本実施の形態１によれば、端末装置にて記憶した金額情報を用いて商品情報を表示することにより、配信サーバーにて各個人の金額情報を記憶する必要がないので、個人情報の漏洩を防ぐことができる。また、本実施の形態１によれば、各端末装置の利用限度額に応じて利用限度額以下の値段の商品の商品情報の表示を変更するので、ユーザは購入可能な商品を迅速に知ることができる。また、本実施の形態１によれば、利用限度額が少なくなってきた場合には入金を提案する文字情報等を表示することにより、ユーザは事前に入金を提案する文字情報等を見て電子マネーの金額を増やしておくことができるので、利用限度額内にて購入できるものと思い込んでいた希望の商品を、利用限度額不足により購入することができない状態を防ぐことができる。
【００６４】
（実施の形態２）
図８は、本発明の実施の形態２に係る端末装置８００の構成を示すブロック図である。
【００６５】
本実施の形態２に係る端末装置８００は、図１に示す実施の形態１に係る端末装置１００において、図８に示すように、ショッピングデータ受信部１０３の代わりに広告データ受信部８０１を有する。なお、図８においては、図１と同一構成である部分には同一の符号を付してその説明は省略する。また、配信サーバーの構成は図２と同一構成であるので、その説明は省略する。
【００６６】
広告データ受信部８０１は、データ受信部１０２から入力した受信信号より広告情報を抽出してデータ変換部１０６へ出力する。ここで、広告情報は商品情報を含む広告の情報である。
【００６７】
データ変換部１０６は、広告データ受信部８０１から入力した広告情報に含まれる商品情報と限度額参照部１０５から入力した限度額情報とに基づいて広告情報に含まれる商品情報を並べてデータ表示部１０７へ出力する。具体的には、データ変換部１０６は、商品情報における限度額情報の限度額以下の値段の商品が先頭になるように順番に並べてデータ表示部１０７へ出力する。
【００６８】
データ表示部１０７は、データ変換部１０６から入力した広告情報を最初に表示する。そして、データ表示部１０７は、広告情報を表示した後、ユーザの選択により商品情報を表示する。また、データ表示部１０７は、商品情報を表示する際には商品情報における限度額情報の限度額以下の値段の商品が先頭になるように順番に表示する。また、データ表示部１０７は、電子マネー保存部１０４からの指示により、入金を提案する文字情報等を表示する。
【００６９】
図９は、端末装置８００のデータ表示部１０７に広告情報を表示した状態を示す図である。データ表示部１０７は、最初に図９に示すような広告情報を表示する。そして、ユーザがデータ表示部１０７の「ＸＹ電器  大安売り中！  １／１−１／２０まで」の部分をクリックすることにより、図６及び図７に示すような商品情報が表示される。この時、表示される商品情報は、限度額情報の限度額以下の値段の商品が先頭になるように順番に表示される。
【００７０】
このように、本実施の形態２によれば、各端末装置の利用限度額に応じて利用限度額以下の値段の商品の商品情報の表示を変更するので、各消費者に対してカスタマイズされた商品情報を提供することができる。また、本実施の形態２によれば、端末装置にて記憶した金額情報を用いて商品情報を表示することにより、配信サーバーにて各個人の金額情報を記憶する必要がないので、個人情報の漏洩を防ぐことができる。また、本実施の形態２によれば、利用限度額が少なくなってきた場合には入金を提案する文字情報等を表示することにより、ユーザは事前に入金を提案する文字情報等を見て電子マネーの金額を増やしておくことができるので、利用限度額内にて購入できるものと思い込んでいた希望の商品を、利用限度額不足により購入することができない状態を防ぐことができる。また、本実施の形態２によれば、各端末装置の利用限度額に応じて利用限度額以下の値段の商品の商品情報の表示を変更するので、ユーザは購入可能な商品を迅速に知ることができる。また、本実施の形態２によれば、最初に広告情報を表示するので、端末装置のユーザは商品の購入前に購入したい商品の情報を自動的に知ることができる。
【００７１】
（実施の形態３）
図１０は、本発明の実施の形態３に係る端末装置１０００の構成を示すブロック図である。
【００７２】
本実施の形態３に係る端末装置１０００は、図１に示す実施の形態１に係る端末装置１００において、図１０に示すように、履歴記憶部１００１を追加する。なお、図１０においては、図１と同一構成である部分には同一の符号を付してその説明は省略する。
【００７３】
履歴記憶部１００１は、端末装置１０００のユーザにおける商品毎の過去の購入数の情報である購入履歴情報を記憶する。そして、履歴記憶部１００１は、データ変換部１０６にて商品情報を並べるタイミングにて、記憶している購入履歴情報をデータ変換部１０６へ出力する。購入履歴情報は、商品毎の過去の購入数の情報であり、商品を１つ購入する毎に購入数が一つずつ増えるような情報となる。
【００７４】
データ変換部１０６は、ショッピングデータ受信部１０３から入力した商品情報の商品の中に、限度額参照部１０５から入力した限度額情報の金額以下の値段の商品が存在するか否かを判定する。そして、データ変換部１０６は、限度額情報の金額以下の値段の商品が存在する場合には、限度額情報の金額以下の値段の商品の商品情報を先頭に並べる処理、または限度額情報の金額以下の値段の商品の商品情報を選択する処理を行う。さらに、データ変換部１０６は、履歴記憶部１００１から入力した購入履歴情報より、限度額情報の金額以下の値段の商品について、過去の購入数が最も多い商品の商品情報が先頭になるように順番に並べてデータ表示部１０７へ出力する。
【００７５】
例えば、購入履歴情報において、端末装置１０００のユーザは商品「デジタルカメラ」を購入した購入回数が最も多い場合、データ変換部１０６は、限度額以下の値段の商品の内の商品「デジタルカメラ」の商品情報が最も先頭になるように並べる。これにより、データ表示部１０７は、図６に示すように、限度額以下の値段の商品の内の商品「デジタルカメラ」の商品情報が先頭になるような順番にて商品情報を表示する。また、端末装置１０００のユーザは商品「パソコン」を購入した購入回数が最も多い場合、データ変換部１０６は、限度額以下の値段の商品の内の商品「パソコン」の商品情報が最も先頭になるように並べる。これにより、データ表示部１０７は、図７に示すように、限度額以下の値段の商品の内の商品「パソコン」の商品情報が先頭になるような順番にて商品情報を表示する。
【００７６】
このように、本実施の形態３によれば、上記実施の形態１の効果に加えて、限度額以下の値段の商品の中でさらにユーザが購入する可能性が高い商品を先頭に表示するので、端末装置１０００のユーザは購入したい商品を迅速に選択することができる。
【００７７】
なお、本実施の形態３において、購入履歴情報は購入数の情報としたが、これに限らず、最後に購入した商品の情報等の任意の過去の情報を購入履歴情報とすることが可能である。また、本実施の形態３は上記実施の形態２に適用することが可能である。
【００７８】
（実施の形態４）
図１１は、本発明の実施の形態４に係る端末装置１１００の構成を示すブロック図である。なお、図１１においては、図１と同一構成である部分には同一の符号を付してその説明は省略する。また、配信サーバーの構成は図２と同一構成であるので、その説明は省略する。
【００７９】
電子マネー保存部１０４は、あらかじめユーザが所定の金額を支払って交換した電子マネーにおける支払った分の金額が保存されており、端末装置１１００を介してユーザが買い物をする時に代金として支払う際に用いられるものである。電子マネー保存部１０４は、ユーザが買い物をすることにより電子データの形式にて記憶されている金額が減少していくので、記憶している金額が０円になるかまたは記憶している金額が所定の金額まで減少した場合、金額が増えるように所定のタイミングにて金額の更新を行う。そして、電子マネー保存部１０４は、記憶している金額の情報である金額情報を所定のタイミングにて限度額参照部１０５へ出力する。
【００８０】
データ変換部１０６は、ショッピングデータ受信部１０３から入力した商品情報の商品の中に、限度額参照部１０５から入力した限度額情報の金額以下の値段の商品が存在するか否かを判定する。そして、データ変換部１０６は、限度額情報の金額以下の値段の商品が存在する場合には、限度額情報の金額以下の値段の商品の商品情報を先頭に並べる処理、または限度額情報の金額以下の値段の商品の商品情報を選択する処理を行ってデータ表示部１０７へ出力する。データ変換部１０６は、商品情報を選択する処理を行う場合には、選択した商品情報に対して、商品の値段が限度額情報の金額以下である場合の判定の結果の情報を含めてデータ表示部１０７へ出力する。
【００８１】
また、データ変換部１０６は、ショッピングデータ受信部１０３から入力した商品情報の内、商品情報の商品の値段が限度額情報の金額より高い商品の数を数えて、値段が限度額情報の金額より高い商品の数がしきい値以上である場合には、入金を提案する文字情報等を表示するようにデータ表示部１０７に対して指示する。例えば、データ変換部１０６に入力するしきい値が２個であるとともに、電子マネー保存部１０４にて記憶している金額が３００００円であり、かつ図４に示す商品情報を受信した場合、データ変換部１０６は、３００００円以上の値段の商品が商品情報＃４０２、＃４０３、＃４０４として３個存在していることによりしきい値以上であるものと判定する。この場合、データ変換部１０６は、入金を提案する文字情報等を表示するようにデータ表示部１０７に対して指示する。
【００８２】
このように、本実施の形態４によれば、各端末装置の利用限度額に応じて利用限度額以下の値段の商品の商品情報の表示を変更するので、各消費者に対してカスタマイズされた商品情報を提供することができる。また、本実施の形態４によれば、端末装置にて記憶した金額情報を用いて商品情報を表示することにより、配信サーバーにて各個人の金額情報を記憶する必要がないので、個人情報の漏洩を防ぐことができる。また、本実施の形態４によれば、各端末装置の利用限度額に応じて利用限度額以下の値段の商品の商品情報の表示を変更するので、ユーザは購入可能な商品を迅速に知ることができる。また、本実施の形態４によれば、利用限度額内にて購入できる商品が少なくなってきた場合には入金を提案する文字情報等を表示することにより、ユーザは事前に入金を提案する文字情報等を見て電子マネーの金額を増やしておくことができるので、利用限度額内にて購入できるものと思い込んでいた希望の商品を、利用限度額不足により購入することができない状態を防ぐことができる。
【００８３】
上記実施の形態１〜実施の形態４において、商品情報をＸＭＬ形式のデータとしたが、これに限らず、任意の形式のデータにすることが可能である。また、上記実施の形態１〜実施の形態４において、ブロードキャスト方式を用いて配信データを送信することとしたが、これに限らず、マルチキャスト方式または端末装置の要求に応じてデータを送信するユニキャスト方式等の任意の方式を用いて配信データを送信することが可能である。また、上記実施の形態１〜実施の形態４において、電子マネーとして記憶されている金額情報を参照して商品情報を表示することとしたが、これに限らず、クレジットカード機能を用いて金額情報を参照することにより商品情報を表示するようにしても良い。この場合、クレジットカード機能とは、ユーザがクレジット会社のサービスに加入して、ＩＣにカード番号及び金額情報を保存することにより、ユーザが商品を購入する際にカード番号が商品の販売業者に送信されてユーザと販売業者との間にて決済が完了するような機能である。
【産業上の利用可能性】
【００８４】
本発明にかかる端末装置及び受信データ表示方法は、各消費者に対してカスタマイズされた商品情報を提供することができるとともに、個人情報の漏洩を防ぐ効果を有し、受信データを表示するのに有用である。
【図面の簡単な説明】
【００８５】
【図１】本発明の実施の形態１に係る端末装置の構成を示すブロック図
【図２】本発明の実施の形態１に係る配信サーバーの構成を示すブロック図
【図３】本発明の実施の形態１に係るネットワークの構成を示す図
【図４】本発明の実施の形態１に係る配信データを示す図
【図５】本発明の実施の形態１に係る配信データを示す図
【図６】本発明の実施の形態１に係る配信データを表示した状態を示す図
【図７】本発明の実施の形態１に係る配信データを表示した状態を示す図
【図８】本発明の実施の形態２に係る端末装置の構成を示す図
【図９】本発明の実施の形態２に係る配信データを表示した状態を示す図
【図１０】本発明の実施の形態３に係る端末装置の構成を示す図
【図１１】本発明の実施の形態４に係る端末装置の構成を示す図
【図１２】従来の通信システムの構成を示す図
【符号の説明】
【００８６】
１００  端末装置
１０２  データ受信部
１０３  ショッピングデータ受信部
１０４  電子マネー保存部
１０５  限度額参照部
１０６  データ変換部
１０７  データ表示部
【図１】
2005222252.tif 000003
【図２】
2005222252.tif 000004
【図３】
2005222252.tif 000005
【図４】
2005222252.tif 000006
【図５】
2005222252.tif 000007
【図６】
2005222252.tif 000008
【図７】
2005222252.tif 000009
【図８】
2005222252.tif 000010
【図９】
2005222252.tif 000011
【図１０】
2005222252.tif 000012
【図１１】
2005222252.tif 000013
【図１２】
2005222252.tif 000014